(57)【要約】【課題】汎用のシリンダ錠を使用しつつ、各種の遊技機の施錠装置に適用することができ、低コストで簡単に製造可能な遊技機用錠前装置を提供する。【解決手段】フランジを背面に有したシリンダ錠３と、シリンダ錠３のフランジの背面に固定されるアダプタ２と、アダプタ２内に形成された軸孔に回転自在に挿入され、シリンダ錠３の錠軸の端部に連結される延長軸６と、アダプタ２内の中空部をカバーしてアダプタの背面に固定されるカバー板４と、カバー板４とアダプタ２の背面側に固定されるフランジ板５とを備える。アダプタ２はシリンダ錠３のフランジの外形形状と一部を除いて同一の正面及び背面形状を有し且つ軸方向に同一横断面形状を有して形成される。延長軸６の末端はカバー板４及びフランジ板５の中央に設けた軸孔から背面側に突出する。【選択図】図１
2010240075.tif 000002
【特許請求の範囲】
【請求項１】
遊技機の前扉を施錠する施錠装置の基枠に取り付けられる遊技機用錠前装置において、
フランジを背面に有したシリンダ錠と、
該シリンダ錠のフランジの背面に固定されるアダプタと、
該アダプタ内に形成された軸孔に回転自在に挿入され、該シリンダ錠の錠軸の端部に連結される延長軸と、
該アダプタ内の中空部をカバーして該アダプタの背面に固定されるカバー板と、
該カバー板と該アダプタの背面側に固定されるフランジ板と、
を備え、該アダプタは該シリンダ錠のフランジの外形形状と一部を除いて同一の正面及び背面形状を有し且つ軸方向に同一横断面形状を有して形成され、該延長軸の末端が該カバー板及び該フランジ板の中央に設けた軸孔から背面側に突出していることを特徴とする遊技機用錠前装置。
【請求項２】
前記アダプタには、ねじ込み孔が一体成形され、前記シリンダ錠は、そのフランジの取付孔に挿通された固定ねじを、該ねじ込み孔にねじ込むことにより、該アダプタに固定されることを特徴とする請求項１記載の遊技機用錠前装置。
【請求項３】
前記アダプタには、ねじ込み孔が一体成形され、前記カバー板は、そこに形成された取付孔に挿通された固定ねじを、該ねじ込み孔にねじ込むことにより、該アダプタに固定されることを特徴とする請求項１記載の遊技機用錠前装置。
【請求項４】
前記アダプタには、ねじ込み孔が一体成形され、前記フランジ板は、そこに形成された取付孔及び前記カバー板に形成された取付孔に挿通された固定ねじを、該ねじ込み孔にねじ込むことにより、該アダプタに固定されることを特徴とする請求項３記載の遊技機用錠前装置。
【請求項５】
前記シリンダ錠は合鍵を変更可能に形成される一方、該シリンダ錠のフランジの背面に、合鍵を変更するための可変レバーが突設され、前記アダプタの該可変レバーに対応した位置に、該可変レバーを操作するための可変レバー逃がし用凹部が設けられたことを特徴とする請求項１記載の遊技機用錠前装置。
【請求項６】
遊技機の前扉を施錠する施錠装置の基枠に取り付けられる遊技機用錠前装置において、
フランジを背面に有し、該フランジの背面に突出した可変レバーの操作により合鍵を変更可能としたシリンダ錠と、
該シリンダ錠のフランジの背面に固定されるアダプタと、
該アダプタ内に形成された軸孔に回転自在に挿入され、該シリンダ錠の錠軸の端部に連結される延長軸と、
該アダプタ内の中空部をカバーして該アダプタの背面に固定されるカバー板と、
該カバー板と該アダプタの背面側に固定されるフランジ板と、
を備え、該アダプタは該シリンダ錠のフランジの外形形状と同一の正面及び背面形状を有し且つ軸方向に同一横断面形状を有して形成され、該延長軸の末端は該カバー板及び該フランジ板の中央に設けた軸孔から背面側に突出し、該アダプタには、該シリンダ錠のフランジの背面に突出した可変レバーを動かすための操作レバーが設けられたことを特徴とする遊技機用錠前装置。
【請求項７】
前記アダプタの内側に、操作レバー用角孔が軸方向に形成され、該角孔内に該操作レバーが傾動可能に収容され、該操作レバーの一端が前記シリンダ錠のフランジの背面に突出した可変レバーに係合し、該操作レバーの他端が前記フランジ板の背面に突出していることを特徴とする請求項６記載の遊技機用錠前装置。
【請求項８】
前記操作レバーは長尺状レバーの中間部にクランク状の曲折部を設けて形成され、該操作レバーにはばね片が該操作レバーを戻す方向に付勢するために設けられ、該操作レバーは該曲折部を支点に傾動することを特徴とする請求項７記載の遊技機用錠前装置。
【請求項９】
前記操作レバーは長尺状レバーの中間部に傾動軸を突設して形成され、該操作レバーにはばね片が該操作レバーを戻す方向に付勢するために設けられ、該操作レバーは該傾動軸を軸に傾動することを特徴とする請求項７記載の遊技機用錠前装置。
【発明の詳細な説明】
【技術分野】
【０００１】
本発明は、パチンコ機、スロットマシンなどの遊技機の施錠装置に使用される遊技機用錠前装置に関し、特に、標準的な長さのシリンダ錠を使用しつつ、厚さの厚い前扉を有した各種の遊技機の施錠装置に適用することが可能な遊技機用錠前装置に関する。
【背景技術】
【０００２】
パチンコ機、スロットマシンなどの遊技機は、各メーカーから多数の機種が製造され、それらの基本的な外枠のサイズや筐体の外形サイズは、共通化されているが、遊技機の前扉（ガラス枠などを含む）の立体形状や厚さは、遊技機の各機種毎に異なって製作される。
【０００３】
このため、遊技機の前扉に装着して使用される施錠装置では、前扉の立体形状や厚さに対応して、施錠装置の基枠の中心位置からシリンダ錠の鍵口までの距離が異なることから、各機種の遊技機に応じて長さの異なったタイプのシリンダ錠が使用されている。
【０００４】
一方、パチンコホールなどの遊技場では、各メーカーから製造販売された各種の遊技機が設置され、それら多数の台数の遊技機が常時稼動し、各遊技機では、その前扉や前面枠が、毎日開閉操作されるが、その際、各遊技機の施錠装置に使用されるシリンダ錠のタイプが相違すると、ホールの係員はそれらのシリンダ錠毎の合鍵を所持する必要がある。
【０００５】
そこで、遊技機の施錠装置の使い易さや製造コストの低減の観点から、大量生産され汎用的に使用されている、標準的な長さのシリンダ錠を使用し、遊技機の前扉の立体形状や厚さに応じて、錠の鍵口から施錠装置の中心位置である錠軸の先端までの長さを、簡単に変更することが可能な構造の錠前装置が試作検討されており、従来、その一つとして、遊技機の施錠装置に汎用的に使用されているシリンダ錠を使用し、厚さの厚い前扉を有した各機種の遊技機に適用可能な施錠装置とするために、錠の鍵口から施錠装置の中心位置である錠軸の先端までの長さを可変とするように、錠の外殻と錠軸を伸縮可能とした錠前装置が、下記特許文献１により提案されている。
【先行技術文献】
【特許文献】
【０００６】
【特許文献１】特開平２００５−４０４１４号公報
【発明の概要】
【発明が解決しようとする課題】
【０００７】
この従来の錠前装置は、汎用のシリンダ錠を収容する外殻を伸縮可能とするために、ガイドカバーに対しスライドカバーをスライド可能にはめ込み、それを係止片により係止させ、さらに、シリンダ錠の錠軸に接続する連結軸には、軸芯体、軸中間体、軸外周体を嵌め込み、相互に摺動させて長さを調整した状態で、抜け止め片などを嵌入して固定する構造となっていた。
【０００８】
このため、この種の従来の錠前装置は、その構造が非常に複雑化し、部品点数も増大し、錠前装置を製造する際、その組立工程において、多くの工数が必要となり、製造コストも高くなるため、汎用のシリンダ錠を使用する経済的なメリットが消失してしまう課題があった。
【０００９】
本発明は、上述の課題を解決するものであり、汎用のシリンダ錠を使用しつつ、各種の遊技機の施錠装置に適用することができ、低コストで簡単に製造可能な遊技機用錠前装置を提供することを目的とする。
【課題を解決するための手段】
【００１０】
上記目的を達成するために、本願の請求項１の遊技機用錠前装置は、遊技機の前扉を施錠する施錠装置の基枠に取り付けられる遊技機用錠前装置において、フランジを背面に有したシリンダ錠と、該シリンダ錠のフランジの背面に固定されるアダプタと、該アダプタ内に形成された軸孔に回転自在に挿入され、該シリンダ錠の錠軸の端部に連結される延長軸と、該アダプタ内の中空部をカバーして該アダプタの背面に固定されるカバー板と、該カバー板と該アダプタの背面側に固定されるフランジ板とを備え、該アダプタは該シリンダ錠のフランジの外形形状と一部を除いて同一の正面及び背面形状を有し且つ軸方向に同一横断面形状を有して形成され、該延長軸の末端は該カバー板及び該フランジ板の中央に設けた軸孔から背面側に突出することを特徴とする。
【００１１】
この発明によれば、シリンダ錠には遊技機の施錠装置に汎用的に使用される、標準的な長さのシリンダ錠を使用し、そのシリンダ錠の軸方向の長さを延長するようにアダプタを取り付けることにより、錠前装置の長さを長くして、立体形状或いは厚く形成された遊技機の前扉を施錠する施錠装置において、この錠前装置を広く使用することができる。また、アダプタは金属または合成樹脂の押し出し成形により形成された素材を、任意の長さに切断して製造することができるので、各機種の錠前装置専用にアダプタを鋳造や型成形により製作する場合に比べ、各種の長さのアダプタつまり錠前装置を低コストで簡単に製造することができる。
【００１２】
請求項２の発明は、上記請求項１の遊技機用錠前装置において、上記アダプタには、ねじ込み孔が一体成形され、上記シリンダ錠は、そのフランジの取付孔に挿通された固定ねじを、該ねじ込み孔にねじ込むことにより、該アダプタに固定されることを特徴とする。
【００１３】
この発明によれば、シリンダ錠をアダプタに対し固定ねじにより簡単に固定することができる。
【００１４】
請求項３の発明は、上記請求項１の遊技機用錠前装置において、上記アダプタには、ねじ込み孔が一体成形され、上記カバー板は、そこに形成された取付孔に挿通された固定ねじを、該ねじ込み孔にねじ込むことにより、該アダプタに固定されることを特徴とする。
【００１５】
この発明によれば、カバー板をアダプタに対し固定ねじにより簡単に固定することができる。
【００１６】
請求項４の発明は、上記請求項３の遊技機用錠前装置において、上記カバー板にねじ孔が形成され、上記フランジ板は、そこに形成された取付孔に挿通された固定ねじを、該カバー板のねじ孔にねじ込むことにより、該カバー板に固定されることを特徴とする。
【００１７】
この発明によれば、フランジ板をカバー板及びアダプタに対し固定ねじにより簡単に固定することができる。また、この発明によれば、フランジ板から、カバー板、アダプタ、及びシリンダ錠を外した後、パチンコホールで統一錠として使用されている、長尺外筒を有する長尺シリンダ錠を、フランジ板に対し固定ねじと上記取付孔を用いて簡単に固定することができる。
【００１８】
請求項５の発明は、上記請求項１の遊技機用錠前装置において、上記シリンダ錠は合鍵を変更可能に形成される一方、該シリンダ錠のフランジの背面に、合鍵を変更するための可変レバーが突設され、上記アダプタの該可変レバーに対応した位置に、該可変レバーを操作するための可変レバー逃がし用凹部が設けられたことを特徴とする。
【００１９】
この発明によれば、錠前装置のアダプタに可変式錠のシリンダ錠を取り付けた場合であっても、シリンダ錠の可変レバーを容易に操作して、シリンダ錠の合鍵変更操作を簡単に行うことができる。
【００２０】
請求項６の発明は、遊技機の前扉を施錠する施錠装置の基枠に取り付けられる遊技機用錠前装置において、フランジを背面に有し、該フランジの背面に突出した可変レバーの操作により合鍵を変更可能としたシリンダ錠と、該シリンダ錠のフランジの背面に固定されるアダプタと、該アダプタ内に形成された軸孔に回転自在に挿入され、該シリンダ錠の錠軸の端部に連結される延長軸と、該アダプタ内の中空部をカバーして該アダプタの背面に固定されるカバー板と、該カバー板と該アダプタの背面側に固定されるフランジ板とを備え、該アダプタは該シリンダ錠のフランジの外形形状と同一の正面及び背面形状を有し且つ軸方向に同一横断面形状を有して形成され、該延長軸の末端は該カバー板及び該フランジ板の中央に設けた軸孔から背面側に突出し、該アダプタには、該シリンダ錠のフランジの背面に突出した可変レバーを動かすための操作レバーが設けられたことを特徴とする。
【００２１】
この発明によれば、標準的な長さで汎用的に使用されるシリンダ錠を使用し、そのシリンダ錠の軸方向の長さを延長するようにアダプタを取り付けることにより、錠前装置の長さを長くして、立体形状或いは厚さの厚い各種遊技機の前扉の施錠装置に対し、この錠前装置を広く使用することができる。また、各種の長さのアダプタつまり錠前装置を低コストで簡単に製造することができる。さらに、シリンダ錠の可変レバーを、フランジ板の背面側から操作レバーにより容易に操作して、シリンダ錠の合鍵を変更する操作を容易に行うことができる。
【００２２】
請求項７の発明は、上記請求項６の遊技機用錠前装置において、上記アダプタの内側に、操作レバー用角孔が軸方向に形成され、該角孔内に該操作レバーが傾動可能に収容され、該操作レバーの一端が上記シリンダ錠のフランジの背面に突出した可変レバーに係合し、該操作レバーの他端が上記フランジ板の背面に突出していることを特徴とする。
【００２３】
この発明によれば、簡単な構造の操作レバーを操作して、錠前装置に取り付けられた可変式錠のシリンダ錠の可変レバーを、フランジ板の背面側つまり施錠装置の基枠の内側から簡単に動かして、シリンダ錠の合鍵を変更することができる。
【００２４】
請求項８の発明は、上記請求項７の遊技機用錠前装置において、上記操作レバーが長尺状レバーの中間部にクランク状の曲折部を設けて形成され、該操作レバーにはばね片が該操作レバーを戻す方向に付勢して設けられ、該操作レバーは該曲折部を支点に傾動することを特徴とする。
【００２５】
また、請求項９の発明は、上記請求項７の遊技機用錠前装置において、上記操作レバーが長尺状レバーの中間部に傾動軸を突設して形成され、該操作レバーにはばね片が該操作レバーを戻す方向に付勢して設けられ、該操作レバーは該傾動軸を軸に傾動することを特徴とする。
【００２６】
この発明によれば、上記と同様に、シリンダ錠の可変レバーを、フランジ板の背面側つまり施錠装置の基枠の内側から簡単に動かして、シリンダ錠の合鍵を変更することができる。
【発明の効果】
【００２７】
本発明の遊技機用錠前装置によれば、標準的な長さの汎用のシリンダ錠を使用しながら、厚さの厚い前扉を有した各種の遊技機の施錠装置に適用することができ、各種の遊技機用施錠装置の錠前装置を、低コストで簡単に製造することができる。
【図面の簡単な説明】
【００２８】
【図１】本発明の一実施形態を示す遊技機用錠前装置の斜視図である。
【図２】同遊技機用錠前装置の背面側からの斜視図である。
【図３】同遊技機用錠前装置の正面図である。
【図４】同遊技機用錠前装置の背面図である。
【図５】同遊技機用錠前装置の分解斜視図である。
【図６】同遊技機用錠前装置の背面からの分解斜視図である。
【図７】施錠装置に取り付けた状態の遊技機用錠前装置の斜視図である。
【図８】同遊技機用錠前装置の背面側からの斜視図である。
【図９】他の実施形態の遊技機用錠前装置の斜視図である。
【図１０】同遊技機用錠前装置の背面側からの斜視図である。
【図１１】同遊技機用錠前装置の分解斜視図である。
【図１２】可変レバー用操作レバーの説明斜視図である。
【図１３】別の可変レバー用操作レバーの斜視図である。
【図１４】同可変レバー用操作レバーの説明斜視図である。
【発明を実施するための形態】
【００２９】
以下、本発明の一実施形態を図面に基づいて説明する。図１〜図８は第１実施形態の遊技機用錠前装置を示し、この錠前装置１は、標準的な長さを持ち、遊技機の施錠装置で汎用的に使用されているシリンダ錠３と、シリンダ錠３のフランジ３２に固定されるアダプタ２と、アダプタ２の背面側にアダプタ２の開口を覆うように固定されるカバー板４と、カバー板４の背面側に固定されるフランジ板５とを備えて構成される。
【００３０】
シリンダ錠３は、所謂可変式錠と称される合鍵変更型の錠であり、図６に示すように、そのフランジ３２の背面側に可変レバー３３が突き出すように設けられる。このシリンダ錠３は、合鍵を変更する場合、合鍵をその鍵穴に差し込み、可変レバー３３を押し下げた状態で、合鍵を１８０度回してその鍵を一旦引き抜き、次に使用される予定の変更鍵を鍵穴に差し込み、元の位置に戻すと、シリンダ錠３のコードピン、ドライブピンの解錠配列（シャーライン上で各ピンの当接位置が揃う配列）が変わり、合鍵が変更される構造である。
【００３１】
シリンダ錠３には、鍵穴に合鍵を差し込んで回動させたとき、回動する錠軸３１が、図６に示すように、フランジ３２の中央でシリンダ錠の軸芯位置に、シリンダ錠３の背面側に突き出す形態で突設されている。また、シリンダ錠３のフランジ３２の両端部には、取付孔３４が設けられ、フランジ３２の背面側には、４個の小突起３５が突設されている。
【００３２】
シリンダ錠３のフランジ３２の背面側には、上記のように、アダプタ２が固定される。図５，６に示すように、このアダプタ２の特徴は、全ての横断面（軸方向を横断する横断面）を同一とする異形筒状に形成される点である。つまり、アダプタ２は、金属（例えばアルミニウム）または合成樹脂の押し出し成形により形成され、その長手方向（図５，６において正面と背面に向かう軸方向）と直角の横断面形状が、全ての位置で同じ形状と大きさに形成されている。
【００３３】
さらに、アダプタ２の正面形状（背面形状）は、シリンダ錠３の可変レバー３３を逃すための可変レバー逃し凹部２４を除き、フランジ３２の外形形状と略同一の形状に形成される。このように、押し出し成形で形成されたアダプタ２であるので、アダプタ２の背面形状もフランジ３２の外形形状と同一に形成され、アダプタ２内にはその長手方向に沿って中空部２１が同一横断面形状を持って形成されている。
【００３４】
図５，６に示すように、アダプタ２の中央軸芯位置に、軸孔２２が長手方向に形成され、この軸孔２２には後述の延長軸６が回動自在に挿入される。また、アダプタ２の正面側と背面側の端面は、各々軸孔２２の軸方向と垂直で且つ平坦に形成され、その正面側端面にはシリンダ錠３のフランジ３２が当接・固定され、その背面側端面にはカバー板４が嵌合・固定される。さらに、上述のように、アダプタ２の内側には中空部２１がその軸方向（長手方向）に沿って、且つ同一横断面を有して形成されており、この中空部２１を囲うように形成されたアダプタ２内の壁部内側の所定位置に、ねじ込み孔２３ａ，２３ｂが固定ねじ（タッピンねじ）７，８，９をねじ込み固定可能に形成されている。
【００３５】
アダプタ２の中央に形成された軸孔２２に挿入される延長軸６は、シリンダ錠３の錠軸３１の端部にそれと同軸上に連結される軸であり、図５，６に示すように、その末端部近傍にフランジ６ａが形成され、延長軸６をアダプタ２の軸孔２２に背面側の端部から挿入したとき、そのフランジ６ａがアダプタ２の背面側の端面に当接し、その状態で、延長軸６の先端は、アダプタ２の正面側の端部に揃うように、延長軸６の先端からフランジ６ａまでの長さがアダプタ２の長さに等しく形成されている。なお、アダプタ２の背面側の端面に円環状凹部を形成し、その円環状凹部内に延長軸６のフランジ６ａを嵌入するように構成することもできる。
【００３６】
これにより、上記シリンダ錠３をアダプタ２の正面側の端部に当接させて定位置に固定したとき、シリンダ錠３のフランジ３２から突出する錠軸３１がアダプタ２内の延長軸６の先端嵌合部（嵌合穴）６ｂに嵌合し、錠軸３１の回動力を延長軸６に伝達可能な構造となっている。一方、延長軸６の背面側に位置する末端嵌合部６ｃは、図６、図８の如く、施錠装置のカム部材１６が嵌合固定されるように、ねじ孔付き嵌合部となっている。
【００３７】
上記のように、アダプタ２の背面側端面にはカバー板４が嵌合・固定されるが、このカバー板４は例えば合成樹脂により板状に成形され、シリンダ錠３のフランジ３２と同一形状に、つまり可変レバー逃し凹部２４を除くアダプタ２の背面形状と同様に形成され、カバー板４はアダプタ２の背面に正確に合わせて嵌着固定可能となっている。このために、図５に示すように、カバー板４の内側に、位置決め突部４ｅが設けられ、カバー板４をアダプタ２の背面に当てたとき、位置決め突部４ｅがアダプタ２内の中空部２１の一部に嵌合し、位置決めされて嵌着されるようになっている。
【００３８】
また、このカバー板４には、軸芯位置に軸孔４ａが形成され、その軸孔４ａから延長軸６の末端が背面側に突出可能とされる。この軸孔４ａの内側周縁部にリング状凹部４ｇが形成され、そのリング状凹部４ｇにシリンダ錠３のフランジ３２が内側から嵌入する構造となっている。さらに、図６に示すように、カバー板４の背面側には、上記リング状凹部４ｇに対応するようにリング状突部４ｂが形成され、そこから０度と１８０度方向に位置決め突部４ｆが突設され、カバー板４の背面側に当接されるフランジ板５を位置決めして固定可能としている。
【００３９】
また、カバー板４には、皿ねじ状の固定ねじ９を挿入するための取付孔４ｄが形成され、固定ねじ８を挿入するための取付孔４ｃが形成されている。取付孔４ｄは図６に示すように皿孔として形成され、皿ねじの固定ねじ９を取付孔４ｄに挿入してカバー板４をアダプタ２に対し固定した状態で、ねじの頭部を突出させず、フランジ板５をカバー板４の背面に密着して固定できるようにしている。
【００４０】
カバー板４の背面側に、フランジ板５が固定される。フランジ板５は金属板または合成樹脂板から形成され、フランジ板５の形状は、シリンダ錠３のフランジ３２の形状またはアダプタ２の正面若しくは背面形状より大形に形成され、その軸芯位置に円形開口部５ａが形成される。また、この円形開口部５ａには、上記のリング状突部４ｂが嵌合し、その中央から延長軸６の末端嵌合部６ｃが背面側に突き出すようになっている。また、円形開口部５ａの周縁部の０度と１８０度位置には、上記カバー板４の位置決め突部４ｆを嵌合させるための位置決め凹部５ｄが形成されている。
【００４１】
さらに、フランジ板５には、固定ねじ８を挿入するために１対の取付孔５ｃが形成され、施錠装置の基枠１０の取付板１１に固定するために、固定ねじ用の取付孔５ｂがフランジ板５の外側寄りに形成されている。また、この取付孔５ｂと５ｃの間のフランジ板５には、ねじ孔５ｅが形成される。このねじ孔５ｅは、汎用のシリンダ錠３とアダプタ２を長尺円筒錠（長尺の円筒と延長軸を有した長尺のシリンダ錠）と交換して使用する際、固定ねじをそのねじ孔５ｅにねじ込み、長尺円筒錠を固定するように使用される。
【００４２】
このように、この錠前装置の主要部がアダプタ２によって構成されるが、アダプタ２は金属または合成樹脂の押し出し成形により形成された素材を任意の長さに切断して製造することができるので、鋳造や型成形により各々機種の錠前装置専用にアダプタを製作する場合に比べ、各種の長さのアダプタ２つまり錠前装置を低コストで簡単に製造することができる。
【００４３】
上記構成のシリンダ錠３、アダプタ２、延長軸６、カバー板４、及びフランジ板５を組み付ける場合、先ず、シリンダ錠３のフランジ３２の背面側に、アダプタ２の端面に当て、所定位置に位置決めした状態で、フランジ３２の取付孔３４に固定ねじ７を挿入し、固定ねじ７をねじ込む。これにより固定ねじ７の先端がアダプタ２内のねじ込み孔２３ａにねじ込まれ、アダプタ２とシリンダ錠３が固定される。このとき、シリンダ錠３の錠軸３１の先端部はアダプタ２の軸孔２２内に回転自在に嵌入された状態となる。
【００４４】
次に、アダプタ２の軸孔２２に延長軸６を差し込み、アダプタ２の背面側にカバー板４を当て、延長軸６の末端嵌合部６ｃをカバー板４の軸孔４ａに挿通させる。このとき、カバー板４の内側に設けた２個の位置決め突部４ｅがアダプタ２の内側面に当たり、カバー板４はアダプタ２の所定位置に位置決めされ、延長軸６のフランジ６ａがカバー板４の内側のリング状凹部４ｇ内に入り、延長軸６はカバー板４とアダプタ２内に回転自在に保持される。そして、２本の固定ねじ９をカバー板４の取付孔４ｄに挿入し、固定ねじ９をねじ込むことにより、その先端がアダプタ２のねじ込み孔２３ａにねじ込まれ、カバー板４が固定される。
【００４５】
次に、フランジ板５がカバー板４の背面側に取り付けられる。フランジ板５は、その円形開口部５ａ内に延長軸６の末端嵌合部６ｃとカバー板４のリング状突部４ｂを入れ、カバー板４の位置決め突部４ｆをフランジ板５の位置決め凹部５ｄに嵌めるようにして、カバー板４の背面側の適正位置にフランジ板５を位置決めする。この状態で、２本の固定ねじ８を１対の取付孔５ｃに挿入し、固定ねじ８をねじ込むと、固定ねじ８の先端がアダプタ２内のねじ込み孔２３ｂにねじ込まれる。これにより、フランジ板５は、アダプタ２との間にカバー板４を挟持するようにアダプタ２に対し固定され、図１，２のような錠前装置１が完成する。
【００４６】
このように構成された錠前装置１は、図７，８に示すように、遊技機用の施錠装置の基枠１０に取り付けられる。基枠１０は、横断面を略Ｌ字状としたアングル材形状として、縦長に形成され、基枠１０には取付板１１と支持板１２が直角に曲折して設けられ、その取付板１１の略中央に、錠前装置１を取り付けるための異形開口部が形成される。その異形開口部は、錠前装置１のアダプタ２、カバー板４、及びシリンダ錠３のフランジ３２の正面形状と同じ形状に形成され、錠前装置１のシリンダ錠３及びアダプタ２を、基枠１０の取付板１１の内側からその異形開口部内に挿入可能となっている。
【００４７】
また、その異形開口部の近傍の取付板１１には、フランジ板５の取付孔５ｂに対応した位置にねじ孔が形成され、錠前装置１のシリンダ錠３及びアダプタ２を、基枠１０の取付板１１の内側からその異形開口部内に挿入した状態で、固定ねじを基枠１０の内側からフランジ板６の取付孔５ｂに挿入し、取付板１１のねじ孔にねじ込むことにより、錠前装置１が施錠装置の基枠１０の所定位置に、そのシリンダ錠３の鍵口を図７，８の如く、正面側前方に突出するように固定される。
【００４８】
そして、施錠装置の基枠１０の内側に位置する延長軸６の末端嵌合部６ｃに、カム部材１６が固定ねじにより固定され、シリンダ錠３の解錠操作に伴いカム部材１６が回転したとき、基枠１０内に摺動可能に配設された連結杆１５にカム部材１６が係合し、これにより、連結杆１５が上昇し、連結杆１５の上端と下端に連結されたフック爪１３，１４が下側に傾動し、解錠操作が行なわれることとなる。
【００４９】
一方、パチンコホールなどに設置された遊技機において、何らかの理由によりシリンダ錠３の合鍵を変更する場合、旧合鍵をシリンダ錠３の鍵穴に差し込み、シリンダ錠３のフランジ３２の背面に、可変レバー逃し凹部２４により露出している、可変レバー３３を錠軸３１側に押し、この状態で旧合鍵を１８０度回し、さらに、旧合鍵を鍵穴から引き抜く一方、新合鍵をその鍵穴に差し込み、そして元の位置に戻すと、シリンダ錠３の合鍵は新合鍵に変更されることとなる。
【００５０】
また、パチンコホールなどに設置された遊技機において、その施錠装置のシリンダ錠３を長尺円筒錠に交換する場合、先ず施錠装置の基枠１０の内側から、錠前装置１のフランジ板５を固定する固定ねじを緩めて外す。これにより、フランジ板５、アダプタ２、シリンダ錠３を含む錠前装置１が基枠１０の取付板１１から取り外し可能となり、アダプタ２及びシリンダ錠３を基枠１０の取付板１１から内側に引き抜き、錠前装置１を簡単に外すことができる。
【００５１】
そして、外した錠前装置１から固定ねじ８を緩めてシリンダ錠３とアダプタ２を外した後、交換用の長尺円筒錠のフランジをフランジ板５に位置決め当接させ、ねじ孔５ｅに固定ねじをねじ込んで固定する。これにより、長尺円筒錠をフランジ板５に固定した形状の錠前装置が完成し、このように、簡単にシリンダ錠３を長尺円筒錠に交換することができる。また、シリンダ錠３のみを交換する場合には、固定ねじ７を緩めてアダプタ２からシリンダ錠３のフランジ３２を外せば、簡単にシリンダ錠３の交換を行なうことができる。
【００５２】
このように、上記構成の錠前装置は、その主要部分をなすアダプタ２がその長手方向（軸方向）に沿った横断面を同一とするように形成されるため、金属或いは合成樹脂の素材を押し出し成形してアダプタ素材を製造することができる。このため、そのアダプタ素材を任意の位置でカットして、軸方向の長さの異なる各種のアダプタ２を、低コストで製造することができるので、シリンダ錠３の鍵口から延長軸６の末端嵌合部６ｃまでの長さの異なる各種の錠前装置を、簡単に低コストで製造することができる。
【００５３】
また、錠前装置１を遊技機の施錠装置の基枠１０に取り付ける場合、フランジ板５の取付孔５ｂと固定ねじを用いて簡単に取り付けることができ、さらに、長尺円筒錠と交換する際には、固定ねじ８を外すことにより、アダプタ２とシリンダ錠３を簡単に取り外し、代わりに長尺円筒錠をねじ孔５ｅと固定ねじを用いて簡単に取り付けることができる。
【００５４】
なお、上記実施形態において、アダプタ２の背面にカバー板４を固定ねじ９により固定したが、カバー板４に弾性変形可能な係止爪を設け、その係止爪をアダプタ２の内側に係止させてカバー板をアダプタに対し固定することもできる。
【００５５】
図９〜図１２は他の実施形態の錠前装置５１を示している。この錠前装置５１は、上記の錠前装置１におけるアダプタ２の可変レバー逃がし凹部２４に代えて、アダプタ６０内に角孔６５を形成し、その角孔６５内に、シリンダ錠３の可変レバー３３を操作するための操作レバー２７を挿入し、操作レバー２７によって、フランジ板５５の外側から合鍵の変更操作（シリンダ錠のコードピン、ドライバピンの解錠時の配列の変更操作）を行ない得るようにしている。なお、上記実施形態と同様な構成部分については、図面に上記と同じ符号を付してその説明を省略する。
【００５６】
この錠前装置５１は、上記と同様に、遊技機の施錠装置で汎用的に使用されているシリンダ錠３と、シリンダ錠３のフランジ３２に固定されるアダプタ６０と、アダプタ６０の背面側にアダプタ６０の開口を覆うように固定されるカバー板５４と、カバー板５４の背面側に固定されるフランジ板５５とを備えて構成される。
【００５７】
図１１に示すように、シリンダ錠３のフランジ３２の背面側には、アダプタ６０が固定される。アダプタ６０は、金属（例えばアルミニウム）または合成樹脂の押し出し成形により形成され、その長手方向（図１１において正面と背面に向う軸方向）と直角の横断面形状を、全ての位置で同じ形状と大きさに形成されている。さらに、アダプタ６０の正面形状は、シリンダ錠３のフランジ３２の外形形状と略同一の形状に形成される。また、押し出し成形で形成されたアダプタ６０のため、アダプタ６０の背面形状もフランジ３２の外形形状と同一に形成され、アダプタ６０内にはその長手方向に沿って中空部６１が同一横断面形状を持って形成されている。
【００５８】
図１１に示すように、アダプタ６０の中央軸芯位置に、軸孔６２が長手方向に形成され、この軸孔６２には延長軸６が回動自在に挿入される。また、アダプタ６０の正面側と背面側の端面は、各々軸孔６２の軸方向と垂直で且つ平坦に形成され、その正面側端面にはシリンダ錠３のフランジ３２が当接・固定され、その背面側端面にはカバー板５４が嵌合・固定される。さらに、アダプタ６０の内側には中空部６１がその軸方向（長手方向）に沿って、且つ同一横断面を有して形成されており、この中空部６１を囲うように形成されたアダプタ６０内の壁部内側の所定位置に、ねじ込み孔６３ａ，６３ｂが固定ねじ（タッピンねじ）７，８，９をねじ込み固定可能に形成されている。
【００５９】
アダプタ６０の中央に形成された軸孔６２に挿入される延長軸６は、シリンダ錠３の錠軸３１の端部にそれと同軸上に連結される軸であり、図１１に示すように、その末端部近傍にフランジ６ａが形成され、延長軸６をアダプタ６０の軸孔６２に背面側の端部から挿入したとき、そのフランジ６ａがアダプタ６０の背面側の端面に当接し、その状態で、延長軸６の先端は、アダプタ６０の正面側の端部に揃うように、延長軸６の先端からフランジ６ａまでの長さがアダプタ６０の長さに等しく形成されている。
【００６０】
これにより、上記シリンダ錠３をアダプタ６０の正面側の端部に当接させて定位置に固定したとき、シリンダ錠３のフランジ３２から突出する錠軸３１がアダプタ６０内の延長軸６の先端嵌合部（嵌合穴）６ｂに嵌合し、錠軸３１の回動力を延長軸６に伝達可能な構造となっている。一方、延長軸６の背面側に位置する末端嵌合部６ｃは、施錠装置のカム部材１６（図８）が嵌合固定されるように、ねじ孔付き嵌合部となっている。
【００６１】
さらに、図１１に示すように、アダプタ６０内における、シリンダ錠３の可変レバー３３の位置に対応した位置に、角孔６５が軸方向（長手方向）に向け貫通して形成され、可変レバー操作用の操作レバー２７をこの角孔６５内に傾動可能に装着するようになっている。操作レバー２７は、図１１のように、長尺状レバーの中間部にクランク状の曲折部を設けて棒状に形成され、その一部にばね片２８が突設されている。操作レバー２７はその中間部の曲折部を支点に回動（傾動）するように角孔６５内に挿入され、ばね片２８は、その先端を角孔６５の側壁に当接させ、操作レバー２７の末端を延長軸６側に常時付勢するように作用する。
【００６２】
この操作レバー２７は合成樹脂によりばね片２８と一体成形することができるが、ばね片２８のみを金属の板ばねで形成し、合成樹脂の本体に取り付けることもできる。アダプタ６０の角孔６５内に挿入された操作レバー２７は、その正面側の先端をシリンダ錠３の可変レバー３３の外側に当接させ、操作レバー２７の末端を外側に押して傾動させたとき、操作レバー２７が曲折部を支点に回動（傾動）し、可変レバー３３を内側（錠軸３１側）に移動させるようになっている。
【００６３】
アダプタ６０の背面側端面にはカバー板５４が固定されるが、このカバー板５４は例えば合成樹脂により板状に成形され、シリンダ錠３のフランジ３２と同一形状に、またアダプタ２の背面形状と同一形状に形成され、カバー板５４はアダプタ６０の背面に正確に合わせて固定可能となっている。また、このカバー板５４には、軸芯位置に軸孔５４ａが形成され、その軸孔５４ａから延長軸６の末端が背面側に突出可能とされる。
【００６４】
また、カバー板５４には、皿ねじ状の固定ねじ９を挿入するための取付孔５４ｄが形成され、また固定ねじ８を挿入するための取付孔５４ｃが形成されている。取付孔５４ｄは図１１のように皿孔として形成され、皿ねじの固定ねじ９を取付孔５４ｄに挿入してカバー板５４をアダプタ６０に対し固定した状態で、ねじの頭部を突出させず、フランジ板５５をカバー板５４の背面に密着して固定できるようにしている。また、カバー板５４における、アダプタ６０の角孔６５に対応した位置には、角孔５４ｅが貫通・形成されている。この角孔５４ｅには操作レバー２７の末端部が挿通することとなる。
【００６５】
さらに、カバー板５４の背面側に、フランジ板５５が固定される。フランジ板５５は金属板または合成樹脂板から形成され、フランジ板５５の形状は、シリンダ錠３のフランジ３２の形状またはアダプタ６０の正面若しくは背面形状より大形に形成され、その軸芯位置に円形開口部５５ａが形成される。また、この円形開口部５５ａの近傍には、上記の操作レバー２７の末端部を通すための角孔５５ｄが形成される。円形開口部５５ａの中央からは延長軸６の末端嵌合部６ｃが背面側に突き出し、角孔５５ｄからは操作レバー２７の末端部が突出するようになっている。
【００６６】
さらに、フランジ板５５には、固定ねじ８を挿入するために１対の取付孔５５ｃが形成され、図８の如く施錠装置の基枠１０の取付板１１に固定するために、固定ねじ用の取付孔５５ｂがフランジ板５５の外側寄りに形成されている。また、この取付孔５５ｂと５５ｃの間のフランジ板５５には、ねじ孔５５ｅが形成される。このねじ孔５５ｅは、汎用のシリンダ錠３とアダプタ６０を長尺円筒錠（長尺の円筒と延長軸を有した長尺のシリンダ錠）と交換する際、固定ねじをそのねじ孔５５ｅにねじ込み、長尺円筒錠を固定するように使用される。
【００６７】
上記構成のシリンダ錠３、アダプタ６０、延長軸６、カバー板５４、及びフランジ板５５を組み付ける場合、先ず、シリンダ錠３のフランジ３２の背面側に、アダプタ６０の端面に当て、所定位置に位置決めした状態で、フランジ３２の取付孔３４に固定ねじ７を挿入し、固定ねじ７をねじ込む。
【００６８】
これにより固定ねじ７の先端がアダプタ６０内のねじ込み孔６３ａにねじ込まれ、アダプタ６０とシリンダ錠３が固定される。このとき、シリンダ錠３の錠軸３１の先端部はアダプタ６０の軸孔６２内に回転自在に嵌入された状態となる。また、アダプタ６０の角孔６５に挿入されている操作レバー２７の先端は、シリンダ錠３の背面に突出した可変レバー３３の外側に略当接して位置する。
【００６９】
次に、アダプタ６０の軸孔６２に延長軸６を差し込み、アダプタ６０の背面側にカバー板５４を当て、延長軸６の末端嵌合部６ｃをカバー板５４の軸孔５４ａに挿通させ、延長軸６はそのフランジ６ａをカバー板５４の軸孔５４ａの周縁部の凹部内に入れ、アダプタ６０内に回転自在に保持される。そして、２本の固定ねじ９をカバー板５４の取付孔５４ｄに挿入し、固定ねじ９をねじ込むことにより、その先端がアダプタ６０のねじ込み孔６３ａにねじ込まれ、カバー板５４がアダプタ６０に固定される。
【００７０】
次に、フランジ板５５をカバー板５４の背面側に取り付ける。フランジ板５５は、その円形開口部５５ａ内に延長軸６の末端嵌合部６ｃを挿通させ、カバー板５４の背面側の適正位置にフランジ板５５を位置決めする。この状態で、２本の固定ねじ８を１対の取付孔５５ｃに挿入し、固定ねじ８をねじ込むと、固定ねじ８の先端がアダプタ６０内のねじ込み孔６３ｂにねじ込まれる。これにより、フランジ板５５は、アダプタ６０との間にカバー板５４を挟持するようにアダプタ６０に対し固定され、図９，１０のような錠前装置５１が完成する。
【００７１】
この錠前装置５１は、上記と同様、遊技機用施錠装置の基枠１０（図７，８）の取付板１１に対し、その取付板１１の所定位置に形成した異形開口部に、基枠１０の内側からシリンダ錠３及びアダプタ６０を外側に向けて挿通させ、そのフランジ板５５を取付板１１に固定して取り付けられる。このような取付状態で、可変レバー用の操作レバー２７の末端が、フランジ板５５の角孔５５ｄから突出しているので、シリンダ錠３の合鍵を変更する際には、施錠装置の基枠の内側から、その操作レバー２７を外側（延長軸６とは反対側）に簡単に押すことができる。したがって、合鍵の変更操作時に、操作レバー２７の末端を外側に押すと、操作レバー２７が図１２に示すように傾動し、操作レバー２７の先端がシリンダ錠３の可変レバー３３を内側（錠軸３１側）に押し、シリンダ錠３の合鍵変更を、より簡単に行うことができる。
【００７２】
なお、上記で使用した操作レバー２７は、図１３，１４に示すように、レバー本体の中間部に傾動軸３９を突設し、この傾動軸３９を軸に傾動する構造の操作レバー３７とすることもできる。この操作レバー３７は、図１３，１４の如く、その先端寄りのレバー本体の側部にばね片３８が設けられ、その末端寄りの中間部に傾動軸３９が両側に突出して設けられている。この操作レバー３７は、上記と同様に、アダプタ２の角孔６５内に挿入されるが、傾動軸３９を支持する軸受部がアダプタ２側のカバー板４内に設けられ、操作レバー３７はその軸受部に傾動軸３９を軸支させて角孔６５内で傾動可能となる。この操作レバー３７においても、その末端を図１４のように、外側に押して傾動操作したとき、操作レバー３７の先端が内側に移動し、これにより、可変レバー３３を内側に移動させて、合鍵の変更操作を行なうことができる。
【符号の説明】
【００７３】
１      錠前装置
２      アダプタ
３      シリンダ錠
４      カバー板
４ａ    軸孔
５      フランジ板
５ａ    円形開口部
６      延長軸
６ａ    フランジ
２１    中空部
２２    軸孔
２３ａ  ねじ込み孔
２３ｂ  ねじ込み孔
２４    可変レバー逃し凹部
２７    操作レバー
３１    錠軸
３２    フランジ
３３    可変レバー
３７    操作レバー
【図１】
2010240075.tif 000003
【図２】
2010240075.tif 000004
【図３】
2010240075.tif 000005
【図４】
2010240075.tif 000006
【図５】
2010240075.tif 000007
【図６】
2010240075.tif 000008
【図７】
2010240075.tif 000009
【図８】
2010240075.tif 000010
【図９】
2010240075.tif 000011
【図１０】
2010240075.tif 000012
【図１１】
2010240075.tif 000013
【図１２】
2010240075.tif 000014
【図１３】
2010240075.tif 000015
【図１４】
2010240075.tif 000016